(57)【特許請求の範囲】
【請求項１】
テープ状板を湾曲させた形状の馬蹄形バンドの中央内部から延設した基板上に、転写テープの供給リールと巻取リールとを直列に配設し、かつ前記基板と一体的に転写ヘッドを付設してなるカートリッジを、前後端に開口を設けた単一のケース本体の内部に、前記転写ヘッドのヘッド部を前端開口から突出させるとともに、前記馬蹄形バンドを前記後端開口に嵌合させ、かつ馬蹄形バンドの先端近傍に設けた係止爪を、前記ケース本体に設けた係合孔に係止させることによって装着してなり、前記馬蹄形バンドの中央内部から延設した基板上に、転写テープの供給リールと巻取リールとを直列に配設し、かつ前記基板と一体的に転写ヘッドを付設してなる形態が、前記基板に、転写テープの供給リールと巻取リールとをそれぞれ直接または間接に軸支する供給支軸、巻取支軸を直列に配設するとともに、前記供給リールと巻取リールの一端を、共通の受板に回動自在に嵌装し、かつ前記受板に転写ヘッドを付設してなることを特徴とする塗膜転写具。
【請求項２】
前記供給支軸として供給ギア軸、前記巻取支軸として巻取ギア軸を設け、それぞれに供給ギア、巻取ギアを軸支し、これら両ギアを噛合させるとともに、供給ギアの軸筒に、供給リールを直接または間接に所要の抵抗をもって回転するように外嵌し、かつ前記巻取ギアの軸筒に、巻取リールを直接または間接に外嵌してなることを特徴とする請求項１記載の塗膜転写具。
【請求項３】
前記カートリッジにおける転写ヘッドのヘッド部と基板の平面の向きを同一にすることによって横引きタイプとしたことを特徴とする請求項１または２に記載の塗膜転写具。
【請求項４】
前記ケース本体を前記カートリッジに対応して扁平なケースとしたことを特徴とする請求項１〜３のいずれかに記載の塗膜転写具。
【発明の詳細な説明】
【０００１】
【発明の属する技術分野】
本発明は、手で把持して、紙面等を押圧しながら後方へ移動させることにより、供給リールから繰り出される転写テープに塗着されている糊料をもしくは修整用塗膜を紙面等に転写する転写具に関し、特に転写テープを交換できるリフィル式の塗膜転写具の改良に関する。
【０００２】
【従来の技術】
リフィル式の塗膜転写具は、例えば特許第２９４３１３４明細書に記載されている以外に、すでに市販されており公知である。
しかし、これら従来のリフィル式の塗膜転写具は、次のような欠点がある。
ａ) 従来のリフィル式の塗膜転写具(01)は、一般に図６に示すように、本体ケース(02)を、それを構成する１対のケース部材(02a)(02b)に分離して内部の転写テープ(03)を供給リール(04)と巻取リール(05)とともに交換するものである。
【０００３】
しかし、１対のケース部材(02a)(02b)を分離する作業と、新旧の転写テープを交換した後に、再び１対のケース部材(02a)(02b)を一体化させる作業が必ずしも容易でない。
【０００４】
ｂ) 塗膜転写具(01)を使用の際に、偏平な本体ケース(02)を横向きに寝かせて紙面等と平行に近い位置関係にして使用する、いわゆる横引きタイプの塗膜転写具の場合、転写ヘッド(06)のヘッド部(06a)を紙面等に押圧して使用中に、本体ケース(02)の前端開口(02c)から突出している転写ヘッド(06)のヘッド部(06a)に連がる連結板(06b)が紙面等を押圧する反作用によって湾曲し、本体ケース(02)を構成している１対のケース部材(02a)(02b)のうち、上側のケース部材(02a)の前端開口縁(02c1)に当接して上向きの力を与えるために、１対のケース部材(02a)(02b)の嵌合部が外れて相互に分離するという不都合がしばしば見られる。
【０００５】
【発明が解決しようとする課題】
本発明は、前記の問題に対処してなされたものであり、転写テープの交換時の作業を容易にするとともに、横引きタイプとして使用しても、本体ケースを構成する１対のケース部材が分離するといった不都合が生じない塗膜転写具を提供すること目的とする。
【０００６】
【課題を解決するための手段】
本発明によると上記課題は、次のようにして解決される。
(１)  テープ状板を湾曲させた形状の馬蹄形バンドの中央内部から延設した基板上に、転写テープの供給リールと巻取リールとを直列に配設し、かつ前記基板と一体的に転写ヘッドを付設してなるカートリッジを、前後端に開口を設けた単一のケース本体の内部に、前記転写ヘッドのヘッド部を前端開口から突出させるとともに、前記馬蹄形バンドを前記後端開口に嵌合させ、かつ馬蹄形バンドの先端近傍に設けた係止爪を、前記ケース本体に設けた係合孔に係止させることによって装着してなり、前記馬蹄形バンドの中央内部から延設した基板上に、転写テープの供給リールと巻取リールとを直列に配設し、かつ前記基板と一体的に転写ヘッドを付設してなる形態が、前記基板に、転写テープの供給リールと巻取リールとをそれぞれ直接または間接に軸支する供給支軸、巻取支軸を直列に配設するとともに、前記供給リールと巻取リールの一端を、共通の受板に回動自在に嵌装し、かつ前記受板に転写ヘッドを付設してなることを特徴とする塗膜転写具。
【０００７】
(２) 上記(１)項において、前記供給支軸として供給ギア軸、前記巻取支軸として巻取ギア軸を設け、それぞれに供給ギア、巻取ギアを軸支し、これら両ギアを噛合させるとともに、供給ギアの軸筒に、供給リールを直接または間接に所要の抵抗をもって回転するように外嵌し、かつ前記巻取ギアの軸筒に、巻取リールを直接または間接に外嵌してなるものとする。
【０００８】
(３) 上記(１)または(２)項において、前記カートリッジにおける転写ヘッドのヘッド部と基板の平面の向きを同一にすることによって横引きタイプとする。
【０００９】
(４) 上記(１)〜(３)項のいずれかにおいて、前記ケース本体を前記カートリッジに対応して扁平なケースとする。
【００１０】
【発明の実施の形態】
図１は、本発明の塗膜転写具(１)をカートリッジ(２)と本体ケース(３)に分解して示した斜視図、図２は、図１におけるカートリッジ(２)を天地逆にして示した分解斜視図、図３は、図１におけるカートリッジ(２)を本体ケース(３)に収容した状態のIII−III線縦断面図、図４は、図３におけるIV−IV線横断面図、図５は、図４におけるＶ−Ｖ線縦断面図である。
【００１１】
本発明の塗膜転写具(１)は、図１に示すように、カートリッジ(２)と本体ケース(３)より構成される。
【００１２】
カートリッジ(２)は、テープ状板を湾曲させた形状の馬蹄形バンド(４)の中央内部から延設した基板(５)上に、転写テープ(６)の供給リール(７)と巻取リール(８)とを直列に配設し、かつ前記基板(５)と一体的に転写ヘッド(９)を付設して構成されている。
【００１３】
一方、本体ケース(３)の前後端には開口(10)(11)が設けられている。
カートリッジ(２)を本体ケース(３)に装着させるには、カートリッジ(２)の転写ヘッド(９)の先端のヘッド部(9a)を本体ケース(３)の前端開口(10)から突出させるとともに、カートリッジ(２)の馬蹄形バンド(４)を、本体ケース(３)の後端開口(11)に嵌合させ、かつ前記馬蹄形バンド(４)の両先端近傍の外側面に設けた係止爪(4a)(4a)を、前記本体ケース(３)に設けた係合孔(12)(12)に係止させることによって容易に装着することができる。
【００１４】
なお、本体ケース(３)は、通常、カートリッジ(２)に対応して扁平なケースとされる。
【００１５】
カートリッジ(２)の具体的な構成は、次のとおりである。
図２に示すように、馬蹄形バンド(４)の中央内部から延設した基板(５)上に、供給ギア(13)用の供給ギア軸(14)と、巻取ギア(15)用の巻取ギヤ軸(16)とが直列に配設されている。
【００１６】
供給ギア(13)と巻取ギア(15)の下面中央には、それぞれ軸筒(13a)(15a)が設けられ、両ギア(13)(15)は、図４に示すように、前記軸筒(13a)(15a)を介して、それぞれ前記供給ギア軸(14)、巻取ギア軸(16)に軸支されて、相互に噛合している。
【００１７】
供給ギア(13)の軸筒(13a)には、リング(17)が外嵌されている。
前記軸筒(13a)は、先端が拡径され、かつ縦方向のスリット(13b)が先端に至るまで設けられている。
【００１８】
前記リング(17)は、前記スリット(13b)を利用して軸筒(13a)の先端の拡径部(13c)をしぼませて軸筒(13a)に外嵌される。
【００１９】
前記リング(17)の内径は、上半を大きく下半を小さくして、段部(17a)が形成されている。
前記段部(17a)と供給ギア(13)の下面間に、圧縮スプリング(19)が設けられ、この圧縮スプリング(19)の作用によって、前記リング(17)は、前記供給ギア(13)に対して、所要の抵抗をもって回転し得るようになっている。
【００２０】
前記リング(17)には、供給リール(18)が外嵌されている。リング(17)の外周面には、４枚のかみ合わせ羽(17b)が付設され、供給リール(18)の内周面には、６枚のかみ合わせ羽(18a)が付設されている。これらのかみ合わせ羽(17b)(18a)のかみ合わせによって、前記リング(17)は、所要の遊びをもって供給リール(18)に従動して回転するようになっている。
【００２１】
前記供給リール(18)には、供給リールカラー(20)が外側から嵌着され、前記供給リールカラー(20)には、繰り出し用の転写テープ(6a)が嵌装されている。
【００２２】
一方、巻取ギア(15)の軸筒(15a)には、巻取リール(21)が外嵌されている。
巻取ギア(15)の軸筒(15a)の外周面には、４枚のかみ合わせ羽(15b)が付設され、供給リール(21)の内周面には、６枚のかみ合わせ羽(21a)が付設されている。
【００２３】
これらのかみ合わせ羽(15b)(21a)のかみ合わせによって、前記巻取リール(21)は、所要の遊びをもって前記巻取ギア(15)に従動して回転するようになっている。
【００２４】
供給リール(18)と巻取リール(21)の一端は、それぞれ受板(22)に設けられた支軸孔(22a)(22b)に回動自在に嵌装されている。
【００２５】
前記受板(22)の前端には、転写ヘッド(９)が付設されている。転写ヘッド(９)は、その先端のヘッド部(9a)と、該ヘッド部(9a)の左右両側に付設されたガイド板(9b)(9b)と、前記ヘッド部(9a)と前記受板(22)とを連結する連結板(9c)とよりなる。
【００２６】
前記供給リールカラー(20)に装着された繰り出し用転写テープ(6a)から繰り出された転写テープ(６)は、転写ヘッド(９)のガイド板(9b)(9b)に案内されてヘッド部(9a)で折り返され、巻取リール(21)に巻取転写テープ(6b)として巻取られる。
【００２７】
転写テープ(６)が巻取られる機構は、次のとおりである。
供給リール(18)に装着された繰り出し用転写テープ(6a)から繰り出された転写テープ(６)は、転写ヘッド(９)のヘッド部(9a)で折り返されており、ヘッド部(9a)を紙面等に押圧しながら一方向に動かすことにより、転写テープ(６)はヘッド部(9a)を摺動して供給リール(18)に装着された繰り出し用転写テープ(6a)を回転させ、その回転が、供給リールカラー(20)、供給リール(18)、リング(17)、供給ギア(13)を経て、該供給ギア(13)と噛合している巻取ギア(15)に伝わり、さらに巻取リール(21)に伝わって、前記ヘッド部(9a)で折り返された転写テープ(６)を巻取る。
【００２８】
当初、繰り出し用転写テープ(6a)の径は大きく、巻取った転写テープ(6b)の径は小さいが、使用とともに、漸次、逆に繰り出し用転写テープ(6a)の径は小さく、巻取った転写テープ(6b)の径は大きくなる。かかる径の変化にともなう供給リール(18)と巻取リール(21)間の回転比の調節は、前記したリング(17)と供給ギア(13)間が所要の抵抗をもって回転し得るようになっていることによって行なわれる。
【００２９】
以上説明したように、本発明におけるカートリッジ(２)は、テープ状板を湾曲させた形状の馬蹄形バンド(４)の中央内部から延設した基板(５)上に、転写テープ(６)の供給リール(７)と巻取リール(８)とを直列に配設し、かつ前記基板(５)と一体的に転写ヘッド(９)を付設して構成されている。
【００３０】
図１〜図５に示したものは、転写ヘッド(９)は、そのヘッド部(9a)と前記基板(５)の平面の向きを同一にして横引きタイプとして構成されている。
【００３１】
転写ヘッド(９)を前記基板(５)に一体的に付設する具体的形態としては、前記したように前記基板(５)に、転写テープ(６)の供給リール(７)と巻取リール(８)とをそれぞれ直接または間接に軸支する供給支軸(15)、巻取支軸(17)を直列に配設するとともに、前記供給リール(７)と巻取リール(８)の一端を、共通の受板(22)に回動自在に嵌装し、かつ前記受板(22)に転写ヘッド(９)を付設して構成される。
【００３２】
さらに具体的には、前記供給支軸としては供給ギア軸(14)、前記巻取支軸としては巻取ギア軸(16)を設け、それぞれに供給ギア(13)、巻取ギア(15)を軸支し、これら両ギア(13)(15)を噛合させるとともに、供給ギア(13)の軸筒(13a)に、供給リール(７)を直接または間接に所望の抵抗をもって回転するように外嵌し、かつ前記巻取ギア(15)の軸筒(15a)に巻取リール(８)を直接または間接に外嵌して構成される。
【００３３】
なお、図２〜図５においては、供給リール(７)は、供給ギア(13)の軸筒(13a)にリング(17)を介して間接に外嵌される形態を示したが、供給リール(７)をリング(17)の機能を兼ねたものとして、供給リール(７)を供給ギア(13)の軸筒(13a)に直接、外嵌させてもよい。
巻取リール(８)についても、巻取ギア(16)の軸筒(15a)に直接、外嵌される形態を示したが、間接に外嵌させてもよい。
【００３４】
【発明の効果】
本発明によれば、次のような効果を奏する。
１）  請求項１記載の発明によれば、転写テープを交換する際には、馬蹄形バンドの両先端近傍を片手の複数の指ではさんで内側にしぼめて後方に引くだけの極めて簡単な操作で、カートリッジを本体ケースから分離することができる。
次いで、新しいカートリッジを本体ケースに装着する際にも、カートリッジを本体ケースの後端開口に嵌装するだけでよい。
したがって、従来のように１対のケース部材を分離したり、一体化させるような面倒な手数を要せず、極めて簡単に新旧のカートリッジの交換を行うことができる。
さらに、本発明における本体ケースは、１対のケース部材を組合せてなるものでなく単一のケースであるために、横引きタイプとして使用しても、使用中に本体ケースを構成する１対のケース部材が分離するという不都合も生じない。
また、カートリッジの表裏面に、それぞれ基板、受板が一体的に設けられているために、転写テープが保護され、カートリッジの取扱いが容易であり、転写テープの損傷を防止することができる。
【００３５】
２）  請求項２記載の発明によれば、供給ギアと巻取ギアを噛合させるとともに、供給ギアの軸筒に、供給リールを所要の抵抗をもって回転するように外嵌してあるために、繰り出し用の転写テープと巻取られた転写テープの径の変化にともなう供給リールと巻取リール間の回転比の調節が円滑に行われる。
【００３６】
３）  請求項３記載の発明によれば、本発明の塗膜転写具を横引きタイプとして使用し、従来の横引きタイプの塗膜転写具において使用中に生じていた１対のケース部材の分離という不都合を生じることなく使用することができる。
【００３７】
４）  請求項４記載の発明によれば、コンパクトで、かつ使用時にも握持し易く使用感の良好な塗膜転写具が得られる。
【図面の簡単な説明】
【図１】  本発明の塗膜転写具を、カートリッジと本体ケースに分解して示した斜視図である。
【図２】  図１におけるカートリッジを天地逆にして示した分解斜視図である。
【図３】  図１において、カートリッジを本体ケースに収容した状態のIII-III線縦断面図である。
【図４】  図３におけるIV−IV線横断面図である。
【図５】  図４におけるＶ−Ｖ線縦断面図である。
【図６】  従来のリフィル式の塗膜転写具を、本体ケースを構成する１対のケース部材を分離して示した斜視図である。
【符号の説明】
(１)塗膜転写具
(２)カートリッジ
(３)本体ケース
(４)馬蹄形バンド
(4a)係止爪
(５)基板
(６)転写テープ
(７)供給リール
(８)巻取リール
(９)転写ヘッド
(9a)ヘッド部
(9b)ガイド板
(9c)連結板
(10)前端開口
(11)後端開口
(12)係合孔
(13)供給ギア
(13a)軸筒
(13b)スリット
(13c)拡径部
(14)供給ギア軸（供給支軸）
(15)巻取ギア
(15a)軸筒
(15b)かみ合せ羽
(16)巻取ギア軸（巻取支軸）
(17)リング
(17a)段部
(17b)かみ合せ羽
(18)供給リール
(19)圧縮スプリング
(20)供給リールカラー
(21)巻取リール
(21a)かみ合せ羽
(22)受板
(22a)支軸孔
(22b)支軸孔
(01)塗膜転写具
(02)本体ケース
(02a)ケース部材
(02b)ケース部材
(02c)前端開口
(02c1)開口縁
(03)転写テープ
(04)供給リール
(05)巻取リール
(06)転写ヘッド
(06a)ヘッド部
(06b)連結板
【図１】
0004246370.tif 000002
【図２】
0004246370.tif 000003
【図３】
0004246370.tif 000004
【図４】
0004246370.tif 000005
【図５】
0004246370.tif 000006
【図６】
0004246370.tif 000007